(57)【要約】【課題】  照明器具や装飾器具等としての融通性及び発展性を高めるとともに、ユーザーにとっての利便性及び興味性を飛躍的に高める。【解決手段】  複数の発光ダイオード２…を備える発光装置１を構成するに際して、基部４に複数の発光ダイオード２…を設けて構成した発光部３と、少なくとも湾曲可能及び面発光可能な性質を有する複数の光ファイバ５…と、基部４に一端開口６ｐ…を固定し、かつ内側に一つの発光ダイオード２…を位置させるとともに、他端開口６ｑ…に光ファイバ５…の端部５ｓ，５ｔを着脱可能にした筒状をなす複数のファイバ接続部６…とを具備する。【選択図】  図１
2010027432.tif 000002
【特許請求の範囲】
【請求項１】
複数の発光ダイオードを備える発光装置において、基部に複数の発光ダイオードを設けて構成した発光部と、少なくとも湾曲可能及び面発光可能な性質を有する複数の光ファイバと、前記基部に一端開口を固定し、かつ内側に一つの発光ダイオードを位置させるとともに、他端開口に前記光ファイバの端部を着脱可能にした筒状をなす複数のファイバ接続部とを具備してなることを特徴とする発光装置。
【請求項２】
前記光ファイバの両端部を異なる二つのファイバ接続部にそれぞれ装着することを特徴とする請求項１記載の発光装置。
【請求項３】
前記光ファイバの一端部を一つのファイバ接続部に装着し、他端部を未装着にすることを特徴とする請求項１記載の発光装置。
【請求項４】
前記光ファイバは、中心のコア部とこのコア部を覆うクラッド部の二層構造により構成し、前記コア部と前記クラッド部の屈折率により前記クラッド部の外周面から漏洩光を生じさせて面発光を行うことを特徴とする請求項１，２又は３記載の発光装置。
【請求項５】
前記発光部には、交流電源に接続する電源接続部と、この電源接続部から入力する交流電圧を少なくとも正電圧成分又は負電圧成分に変換して前記発光ダイオードに付与する整流部とを内蔵することを特徴とする請求項１記載の発光装置。
【発明の詳細な説明】
【技術分野】
【０００１】
本発明は、複数の発光ダイオードを備える照明器具や装飾器具等に用いて好適な発光装置に関する。
【背景技術】
【０００２】
従来、白色発光ダイオードを用いた照明器具や有色発光ダイオードを利用した装飾器具等の複数の発光ダイオードを備える発光装置は知られている。
【０００３】
例えば、特許文献１には、複数の発光ダイオードを光源とする発光部と、交流電圧用の一般的な電球が装着される電球用ソケットに装着可能で複数の発光ダイオードと電気的に接続された口金と、交流電圧が供給された場合に生成した直流電圧を電球用ソケット及び口金を介して複数の発光ダイオードに印加する電源部とを備えた照明装置が開示されている。また、特許文献２には、ハウジングを電球用口金が装着されているボディ部と、このボディ部に揺動回転可能に装着されているリング部と、リング部と一体になって揺動回転する透光性キャップ部とで構成し、複数の発光ダイオードを配置している基板をリング部に固定支持することにより、基板をボディ部に対して相対回転揺動可能に構成し、基板に複数の発光ダイオードを照射光量が多い方向と照射光量が少ない方向とが混在する状態に配設することによりＬＥＤ照明電球として照射方向性を持たせるように構成したＬＥＤ照明電球が開示されている。
【特許文献１】特開２００１−０５２５０４号公報
【特許文献２】特開２００６−３１０２０７号公報
【発明の開示】
【発明が解決しようとする課題】
【０００４】
しかし、上述した複数の発光ダイオードを備える従来の発光装置は、次のような問題点があった。
【０００５】
第一に、ユーザーが、発光分布，発光色，発光量等の発光性能を、使用環境や好み等に応じて容易かつ自由に変更できれば、照明器具や装飾器具等にとってより理想的となるが、従来の発光装置は、これらの発光性能が基本的に固定され、変更は実質的に不可能となるため、融通性及び発展性に欠け、結局、ユーザーにとっても利便性及び興味性に欠ける難点がある。
【０００６】
第二に、発光ダイオードは、消費電力や発熱が少く、かつ寿命も長い特長を有しているが、消費電力に対してもユーザーが容易かつ自由に変更できれば、省エネルギ性の観点からもより理想的となる。しかし、従来の発光装置の消費電力は製品毎に固定されるため、無駄な消費電力を排除する観点からユーザーサイドで消費電力を変更することが困難であり、省エネルギ性において必ずしも十分であるとは言えない。
【０００７】
本発明は、このような背景技術に存在する課題を解決した発光装置の提供を目的とするものである。
【課題を解決するための手段】
【０００８】
本発明に係る発光装置１は、上述した課題を解決するため、複数の発光ダイオード２…を備える発光装置を構成するに際して、基部４に複数の発光ダイオード２…を設けて構成した発光部３と、少なくとも湾曲可能及び面発光可能な性質を有する複数の光ファイバ５…と、基部４に一端開口６ｐ…を固定し、かつ内側に一つの発光ダイオード２…を位置させるとともに、他端開口６ｑ…に光ファイバ５…の端部５ｓ，５ｔを着脱可能にした筒状をなす複数のファイバ接続部６…とを具備してなることを特徴とする。
【０００９】
この場合、発明の好適な態様により、光ファイバ５は、両端部５ｓ，５ｔを異なる二つのファイバ接続部６，６にそれぞれ装着してもよいし、一端部５ｓを一つのファイバ接続部６に装着し、他端部５ｔを未装着にしてもよい。また、光ファイバ５は、中心のコア部５ａとこのコア部５ａを覆うクラッド部５ｂの二層構造により構成し、コア部５ａとクラッド部５ｂの屈折率によりクラッド部５ｂの外周面５ｂｆから漏洩光Ｌｅを生じさせて面発光を行うことができる。一方、発光部３には、交流電源１０に接続する電源接続部１１と、この電源接続部１１から入力する交流電圧を少なくとも正電圧成分又は負電圧成分に変換して発光ダイオード２…に付与する整流部１２とを内蔵することができる。
【発明の効果】
【００１０】
このような構成を有する本発明に係る発光装置１によれば、次のような顕著な効果を奏する。
【００１１】
（１）  少なくとも湾曲可能及び面発光可能な性質を有する複数の光ファイバ５…と、基部４に一端開口６ｐ…を固定し、かつ内側に一つの発光ダイオード２…を位置させるとともに、他端開口６ｑ…に光ファイバ５…の端部５ｓ，５ｔを着脱可能にした筒状をなす複数のファイバ接続部６…を備えるため、ユーザーは、光ファイバ５…の変形や交換などにより、発光分布，発光色，発光量等の発光性能を、使用環境や好み等に応じて容易かつ自由に変更することができる。したがって、照明器具や装飾器具等としての融通性及び発展性に優れ、ユーザーにとっての利便性及び興味性を飛躍的に高めることができる。
【００１２】
（２）  基部４に一端開口６ｐ…を固定し、かつ内側に一つの発光ダイオード２…を位置させるとともに、他端開口６ｑ…に光ファイバ５…の端部５ｓ，５ｔを着脱可能にした筒状をなす複数のファイバ接続部６…を備えるため、ユーザーは、発光ダイオード２…の使用数を容易に選択できる。したがって、スイッチ手段等と組合わせて構成すれば、不必要な発光ダイオード２…の発光を停止させ、消費電力を削減して省エネルギ性を容易に高めることができる。
【００１３】
（３）  好適な態様により、光ファイバ５は、両端部５ｓ，５ｔを異なる二つのファイバ接続部６，６にそれぞれ装着してもよし、或いは一端部５ｓを一つのファイバ接続部６に装着し、他端部５ｔを未装着にしてもよいなど、装着態様の選択により更なる多様性の向上に寄与できる。
【００１４】
（４）  好適な態様により、光ファイバ５を、中心のコア部５ａとこのコア部５ａを覆うクラッド部５ｂの二層構造により構成し、コア部５ａとクラッド部５ｂの屈折率によりクラッド部５ｂの外周面５ｂｆから漏洩光Ｌｅを生じさせて面発光を行うようにすれば、本発明に係る発光装置１をより望ましい形態で実施でき、もって、より大きなパフォーマンスを得ることができる。
【００１５】
（５）  好適な態様により、発光部３に、交流電源１０に接続する電源接続部１１と、この電源接続部１１から入力する交流電圧を少なくとも正電圧成分又は負電圧成分に変換して発光ダイオード２…に付与する整流部１２を内蔵すれば、商用交流電源（１００〔Ｖ〕）に接続することにより、一般的な照明器具や装飾器具等として手軽に使用することができる。
【発明を実施するための最良の形態】
【００１６】
次に、本発明に係る最良の実施形態を挙げ、図面に基づき詳細に説明する。
【００１７】
まず、本実施形態に係る発光装置１の構成について、図１〜図６を参照して具体的に説明する。
【００１８】
例示の発光装置１は電球に模したものである。したがって、全体の形態は、図２に示すように、電球部Ｐｓと口金部Ｐｉを備える。電球部Ｐｓは、発光部３，カバー部２１及び複数の光ファイバ５…を備える。
【００１９】
発光部３は、基部４に複数の発光ダイオード（ＬＥＤ）２…を設けて構成する。基部４は、ハウジング部２２と基板部２３を備える。ハウジング部２２は、円形の端面部２２ｍ及びこの端面部２２ｍの周部に一体の偏平筒形の周面部２２ｓからなり、このハウジング部２２の内部に基板部２３を配設する。
【００２０】
基板部２３の表面（図１中、上面）には複数のＬＥＤ２…を実装する。例示の場合、図３に示すように、全部で１８個のＬＥＤ２…を使用する。ＬＥＤ２…は白色発光ダイオードを用いる。また、図４に示すように、基板部２３の表面には、各ＬＥＤ２…に対応したファイバ接続部６…を取付ける。ファイバ接続部６は、全体をプラスチック等により筒形に一体形成する。したがって、両端は開口し、一端側が一端開口６ｐとなり、他端側が他端開口６ｑとなる。ファイバ接続部６の径及び長さは、特に、他端開口６ｑに対して後述する光ファイバ５の端部５ｓ又は５ｔを着脱可能、即ち、他端開口６ｑに対して光ファイバ５の端部５ｓ又は５ｔを差込み、又は引抜くことができるように形成する。そして、ファイバ接続部６を基板部２３に取付ける際には、一端開口６ｐを、図４に示すように、基板部２３の表面に固定するとともに、一端開口６ｐの内側に一つのＬＥＤ２を位置させる。この場合、基板部２３にファイバ接続部６を固定する手段としては、接着又は溶着、或いは一端開口６ｐ側に一体形成したフランジ部と基板部２３のネジ止め等を用いることができる。
【００２１】
一方、基板部２３の裏面と端面部２２ｍの内面間には回路ユニット３１を配設するとともに、端面部２２ｍの外面中央には口金部Ｐｉを設ける。回路ユニット３１には、図６に示す整流部（ドライブ回路）１２を内蔵する。この整流部１２は、入力側（一次側）を口金部Ｐｉに接続するとともに、出力側（二次側）を各ＬＥＤ２…に接続する。整流部１２は、半波整流であってもよいし全波整流であってもよく、その整流方式は特に問わない。これにより、口金部Ｐｉから整流部１２に交流電圧が付与されるため、整流部１２は、交流電圧を整流して正電圧成分（又は負電圧成分）に変換する。そして、整流部１２から得られた正電圧成分は、回路ユニット３１から出力し、各ＬＥＤ２…に印加される。
【００２２】
また、口金部Ｐｉは、一般家庭等で使用する１００ボルト用電球ソケットに着脱可能なタイプとして構成する。したがって、この口金部Ｐｉは、交流電源１０に接続する電源接続部１１を構成する。さらに、カバー部２１は、図２に仮想線で示すように、全体をカップ状に形成し、周面部２１ｓの先端にネジを介して着脱可能となる。カバー部２１は、透明であってもよいし、乳白色或いは乱反射面を有する半透明であってもよい。
【００２３】
他方、複数の光ファイバ５…を用意する。光ファイバ５は、図５に示すように、中心のコア部５ａとこのコア部５ａを覆うクラッド部５ｂの二層構造により構成し、コア部５ａとクラッド部５ｂの屈折率によりクラッド部５ｂの外周面５ｂｆから漏洩光Ｌｅを生じさせる。したがって、光ファイバ５は、面発光可能な性質を有する。この場合、一般的な光伝送用の光ファイバでは、コア部の屈折率をクラッド部よりも高く設定し、いわば光をコア部の内部に閉じ込めるようにしているが、本実施形態で使用する光ファイバ５は、端部５ｓ（又は５ｔ）から入射した光Ｌの一部がクラッド部５ｂを透過して漏洩光Ｌｅとなるように、コア部５ａ及びクラッド部５ｂの屈折率を設定するため、この漏洩光Ｌｅにより光ファイバ５はクラッド部５ｂの外周面５ｂｆ全体から光を照射する面発光を行うことができる。
【００２４】
例示の光ファイバ５は、コア部５ａに軟質のアクリル樹脂を使用し、クラッド部５ｂにコア部５ａよりも相対的に硬質となるアクリル樹脂を使用している。したがって、光ファイバ５は、湾曲可能な性質を有し、図１に示すように、中間部位を自由に湾曲させることができる。なお、光ファイバ５の径は、特に問わないが、８〔ｍｍ〕を超えた場合には、湾曲径を小さくしにくくなるため、例示する電球タイプの場合には、６〔ｍｍ〕程度が望ましい。このような光ファイバ５、即ち、中心のコア部５ａとこのコア部５ａを覆うクラッド部５ｂの二層構造により構成し、コア部５ａとクラッド部５ｂの屈折率によりクラッド部５ｂの外周面５ｂｆから漏洩光Ｌｅを生じさせて面発光を行う光ファイバ５を利用すれば、本発明に係る発光装置１をより望ましい形態で実施でき、もって、より大きなパフォーマンスを得ることができる利点がある。
【００２５】
次に、本実施形態に係る発光装置１の使用方法及び機能について、図１〜図６を参照して説明する。
【００２６】
まず、発光装置１は、発光部３と口金部Ｐｉを組立体として用意するとともに、使用する複数の光ファイバ５…を別途用意する。この場合、複数の光ファイバ５…は、所定の長さを有する複数の光ファイバ５…を用意してもよいし、一本の長い光ファイバを用意し、ユーザーが自由にカッティングして用いてもよい。なお、例示する光ファイバ５の両端部５ｓ，５ｔの端面は軸心に対して直角面である。
【００２７】
そして、任意の光ファイバ５は、図１に示すように、Ｕ形に湾曲させ、両端部５ｓ，５ｔを異なる二つのファイバ接続部６，６にそれぞれ装着する。即ち、図４に示すように、一端部５ｓ（又は５ｔ）を任意のファイバ接続部６における他端開口６ｑに挿入し、一端部５ｓの端面をＬＥＤ２の先端に当接させる。他の光ファイバ５…も同様に装着を行えば、図２に示すように、全てのファイバ接続部６…に、光ファイバ５…の両端部５ｓ…，５ｔ…を装着することができる。この場合、光ファイバ５は弾性を有しているため、ファイバ接続部６にそのまま装着しても容易に抜けることはない。全ての光ファイバ５…を装着したなら、カバー部２１をハウジング部２２に装着する。これにより、図２に示す電球に模した発光装置１を完成させることができる。
【００２８】
一方、この発光装置１を使用する際は、家庭等で使用する１００ボルト用電球ソケット（交流電源１０）に、口金部Ｐｉ（電源接続部１１）をそのまま装着すればよい。これにより、１００〔Ｖ〕の交流電圧が口金部Ｐｉを介して整流部１２に付与され、整流部１２により整流された正電圧成分が各ＬＥＤ２…に印加され、各ＬＥＤ２…が発光（白色発光）する。そして、各ＬＥＤ２…からの光Ｌは、図５に示すように、光ファイバ５の端部５ｓ（５ｔ）に入光し、コア部５ａに沿って伝送されるとともに、光Ｌの一部がクラッド部５ｂを透過して漏洩光Ｌｅとなり、光ファイバ５における外周面全体から光を照射する面発光を行う。
【００２９】
このように、例示の発光装置１では、発光部３に、交流電源１０に接続する電源接続部１１と、この電源接続部１１から入力する交流電圧を少なくとも正電圧成分（又は負電圧成分）に変換して発光ダイオード２…に付与する整流部１２を内蔵するため、商用交流電源（１００〔Ｖ〕）に接続することにより、一般的な照明器具や装飾器具等として手軽に使用できる利点がある。
【００３０】
ところで、本実施形態に係る発光装置１は、ファイバ接続部６…に、光ファイバ５…の両端部５ｓ…，５ｔ…を着脱させることができるため、様々な態様で使用することができる。例えば、図２に示すように、各光ファイバ５…を対称性を持たせてレイアウトすれば、全方向性（無指向性）のランプ（照明器具）を構成できる。これに対して、非対称性、例えば、一側の光ファイバ５の高さを高くし、他側へ行くに従って順次高さを低くすれば、他側の照射量がより多い照射分布となる指向性のあるランプとして構成できる。或いは、全ての光ファイバ５…に非着色の光ファイバを使用すれば、純白系の照明を行うことができるとともに、一部に橙色に着色した光ファイバを使用すれば、暖色系の照明を行うことができる。
【００３１】
このように、本実施形態に係る発光装置１によれば、少なくとも湾曲可能及び面発光可能な性質を有する複数の光ファイバ５…と、基部４に一端開口６ｐ…を固定し、かつ内側に一つの発光ダイオード２…を位置させるとともに、他端開口６ｑ…に光ファイバ５…の端部５ｓ，５ｔを着脱可能にした筒状をなす複数のファイバ接続部６…を備えるため、ユーザーは、光ファイバ５…の変形や交換などにより、発光分布，発光色，発光量等の発光性能を、使用環境や好み等に応じて容易かつ自由に変更することができる。したがって、照明器具や装飾器具等としての融通性及び発展性に優れ、ユーザーにとっての利便性及び興味性を飛躍的に高めることができる。
【００３２】
次に、本発明の変更実施形態に係る発光装置１について、図７〜図１０を参照して説明する。
【００３３】
図７及び図８は、ファイバ接続部６の変更例を示す。図１に示した発光装置１では、全てのファイバ接続部６…を使用したが、光ファイバ５…はファイバ接続部６…に対して選択的に着脱できるため、全てのファイバ接続部６…及び光ファイバ５…を使用する必要はなく、一部のみを使用することもできる。この場合、ファイバ接続部６…と光ファイバ５…は着脱するため、スイッチ手段を付設することにより、使用しないファイバ接続部６…のＬＥＤ２…を容易に消灯させることができる。図７は、ファイバ接続部６に、光ファイバ５の端部５ｓ（又は５ｔ）を差込んだ際にＯＮし、抜取った際にＯＦＦするスイッチ４１を付設した例を示す。なお、スイッチ４１は、図６に仮想線で示すように、ＬＥＤ２に直列接続する。また、図７に示すファイバ接続部６では、他端開口６ｑの内面にテーパ面６ｔを形成して光ファイバ５の端部５ｓ（又は５ｔ）を挿入しやすくしているとともに、内周面に盛上部６ｍを形成してより抜けにくくした例を示す。他方、図８は、ファイバ接続部６を基板部２３に対して着脱可能に構成した例を示す。この場合、ファイバ接続部６の一端開口６ｐに実装部６ｘを一体に設け、この実装部６ｘにＬＥＤ２を実装するとともに、実装部６ｘから一対のプラグ部４３ａ，４３ｂを突出させる。一方、基板部２３にはプラグ部４３ａ，４３ｂが着脱する接続孔４４ａ，４４ｂを設ける。したがって、プラグ部４３ａ，４３ｂはＬＥＤ２の接続リードを兼用する。これにより、ファイバ接続部６を使用するときは、プラグ部４３ａ，４３ｂを接続孔４４ａ，４４ｂに装着し、使用しないときは抜き取ればよい。なお、本発明ではこのような形態も含むため、基部４に一端開口６ｐを固定するとは、使用時に固定する意味である。
【００３４】
このように、発明に係る発光装置１では、基部４に一端開口６ｐ…を固定し、かつ内側に一つの発光ダイオード２…を位置させるとともに、他端開口６ｑ…に光ファイバ５…の端部５ｓ，５ｔを着脱可能にした筒状をなす複数のファイバ接続部６…を備えるため、ユーザーは、発光ダイオード２…の使用数を容易に選択できる。したがって、スイッチ手段等と組合わせて構成すれば、不必要な発光ダイオード２…の発光を停止させ、消費電力を削減して省エネルギ性を容易に高めることができる。
【００３５】
図９（ａ），（ｂ）は、発光装置１を他の物品に適用した例を示す。図１〜図６は電球に模した例を示したが、図９（ａ）は、フラットパネルタイプの照明器具（発光器）として構成した。発光装置１は、フラットなプレート５１における一面の両側に支持部５２ａ，５２ｂを設け、この支持部５２ａ，５２ｂに、ファイバ接続部６…を横置きに取付け、かつ両側のファイバ接続部６…を対向させたものであり、光ファイバ５…はプレート５１に沿って配することができる。他方、図９（ｂ）は、装飾器具として構成した。この場合、発光部３をポット６１として構成できる。これにより、ユーザーは複数の光ファイバ５…を様々な形状にデザイン化し、生花を行うように利用できる。また、光ファイバ５…又はＬＥＤ２…は様々な色に配色することができる。即ち、様々な着色を施した光ファイバ５…を使用したり、ＬＥＤ２…に、赤色，青色，緑色等の有色発光ダイオードを使用することができる。特に、図８に示す形態により実施すれば、ＬＥＤ２…の色変更を容易に行うことができる。
【００３６】
また、図９（ｂ）は、光ファイバ５の一端部５ｓを一つのファイバ接続部６に装着し、他端部５ｔを未装着にした例を示す。この態様は、後述する図１０（ｄ）に示す態様となる。この場合、他端部５ｔの端面は、軸心に対して直角面に形成してもよいし、図１０（ｄ）に示すように、所定の角度Ｒを有する傾斜面５ｔｓに形成してもよい。このように、本発明に係る発光装置１では、図１及び図９（ａ）に示すように、光ファイバ５の両端部５ｓ，５ｔを異なる二つのファイバ接続部６，６にそれぞれ装着してもよいし、図９（ｂ）及び図１０（ｄ）に示すように、光ファイバ５の一端部５ｓのみを一つのファイバ接続部６に装着し、他端部５ｔを未装着にしてもよいなど、装着態様の選択により更なる多様性の向上に寄与できる。
【００３７】
その他、図示を省略したが、ボール（球体）を基部４に使用し、この基部４の全球面上にファイバ接続部６…を配するとともに、例えば、光ファイバ５…の一端部５ｓのみを装着し、他端部５ｔを未装着にする図１０（ｄ）の態様を用いれば、全球面から多数の光を３６０〔゜〕にわたって放射するミラーボールのように構成することもできる。
【００３８】
図１０（ａ）〜（ｄ）は、光ファイバ５…を使用する際の湾曲形状例を示す。図１０（ａ）は三角山形、図１０（ｂ）はＭ形、図１０（ｃ）及び（ｄ）は、光ファイバ５の一端部５ｓのみを一つのファイバ接続部６に装着し、他端部５ｔを未装着にした態様あり、図１０（ｃ）はＬ形、図１０（ｄ）はＩ形を示す。光ファイバ５…は、このような例示に限らず、様々な湾曲形状により実施することができる。
【００３９】
以上、各種実施形態について詳細に説明したが、本発明はこのような実施形態に限定されるものではなく、細部の構成，形状，素材，数量，数値等において、本発明の要旨を逸脱しない範囲で、任意に変更，追加，削除することができる。
【００４０】
例えば、発光ダイオード２は単一の発光ダイオードであってもよいし、複数の発光ダイオードを含む複合タイプの発光ダイオードであってもよい。また、筒状をなすファイバ接続部６として、全体を筒形に形成した例を示したが、発光ダイオード２を覆う部分のみを筒形に形成し、光ファイバ５の端部５ｓ（又は５ｔ）を保持する部分は筒形以外、例えば、クリップ等により構成することも可能である。さらに、光ファイバ５は、二層構造を例示したが、同様の作用を呈するものであれば一層構造であってもよいし、必要により三層以上の構造であってもよい。他方、発光部３に、交流電源１０に接続する電源接続部１１と、この電源接続部１１から入力する交流電圧を少なくとも正電圧成分又は負電圧成分に変換して発光ダイオード２…に付与する整流部１２とを内蔵した例を示したが、直流電源がある場合、例えば、バッテリや電池により駆動するタイプでは、このような電源接続部１１及び整流部１２は不要となる。なお、本発明に係る発光装置１は、その他、様々な形態により実施できるとともに、各種物品に応用（適用）可能であり、例示した照明器具や装飾器具をはじめ、看板や信号類など、様々な分野における発光装置１として利用することができる。
【図面の簡単な説明】
【００４１】
【図１】本発明の最良の実施形態に係る発光装置における要部を明示する一部断面側面図、
【図２】同発光装置の完成した状態を示す一部断面側面図、
【図３】同発光装置のカバー部を除いた状態の平面図、
【図４】同発光装置の要部構成を示す拡大断面図、
【図５】同発光装置に使用する光ファイバの原理説明図、
【図６】同発光装置における電気系の回路図、
【図７】本発明の変更実施形態に係る発光装置のファイバ接続部の変更例を示す拡大断面図、
【図８】同変更実施形態に係る発光装置のファイバ接続部の他の変更例を示す拡大断面図、
【図９】同変更実施形態に係る発光装置を適用した他の物品の模式的構成図、
【図１０】同変更実施形態に係る光ファイバの湾曲形状例を示す正面図、
【符号の説明】
【００４２】
１：発光装置，２…：発光ダイオード，３：発光部，４；基部，５…：光ファイバ，５ｓ：光ファイバの端部（一端部），５ｔ：光ファイバの端部（他端部），５ａ：コア部，５ｂ：クラッド部，５ｂｆ：外周面，６…：ファイバ接続部，６ｐ…：ファイバ接続部の一端開口，６ｑ…：ファイバ接続部の他端開口，１０：交流電源，１１：電源接続部，１２：整流部
【図１】
2010027432.tif 000003
【図２】
2010027432.tif 000004
【図３】
2010027432.tif 000005
【図４】
2010027432.tif 000006
【図５】
2010027432.tif 000007
【図６】
2010027432.tif 000008
【図７】
2010027432.tif 000009
【図８】
2010027432.tif 000010
【図９】
2010027432.tif 000011
【図１０】
2010027432.tif 000012